(57)【要約】【課題】安定した高速書込みが可能であり、かつオンスクリーン表示の際にも、黒輝度の上昇を抑え画像表示品質のよいプラズマディスプレイパネルの駆動方法を提供する。【解決手段】オンスクリーン表示しない期間では、全セル初期化動作を行うサブフィールドの数を画像信号のＡＰＬの値Ａ（ｔ）に基づいて切換え、画面の中央部にオンスクリーン表示する期間では、全セル初期化動作を行うサブフィールドの数を固定し、画面の周辺部にオンスクリーン表示する期間では、オンスクリーン表示する直前のフィールドの画像信号のＡＰＬとオンスクリーン表示した最初のフィールドの画像信号のＡＰＬとの差ΔＡ（ｔ２）をオンスクリーン表示中の画像信号のＡＰＬから差し引いた値Ａ’（ｔ）に基づいて全セル初期化動作を行うサブフィールドの数を切換える。【選択図】図７
2006084623.tif 000002
【特許請求の範囲】
【請求項１】
走査電極および維持電極とデータ電極との交差部に放電セルを形成してなるプラズマディスプレイパネルの駆動方法であって、
１フィールド期間を複数のサブフィールドで構成し、
前記複数のサブフィールドのうち、画像表示を行うすべての放電セルに対して初期化放電を発生させる全セル初期化動作を行うサブフィールドの数を画像信号のＡＰＬに基づいて切換える制御を行う第１のモードと、
全セル初期化動作を行うサブフィールドの数を固定した制御を行う第２のモードとを有し、オンスクリーン表示の有無に応じて前記第１のモードと前記第２のモードを切換えることを特徴とするプラズマディスプレイパネルの駆動方法。
【請求項２】
走査電極および維持電極とデータ電極との交差部に放電セルを形成してなるプラズマディスプレイパネルの駆動方法であって、
１フィールド期間を複数のサブフィールドで構成し、
前記複数のサブフィールドのうち、画像表示を行うすべての放電セルに対して初期化放電を発生させる全セル初期化動作を行うサブフィールドの数を画像信号のＡＰＬに基づいて切換える制御を行う第１のモードと、
オンスクリーン表示する直前のフィールドの画像信号のＡＰＬとオンスクリーン表示した最初のフィールドの画像信号のＡＰＬとの差をオンスクリーン表示中の画像信号のＡＰＬから差し引いた値に基づいて、全セル初期化動作を行うサブフィールドの数を切換える制御を行う第３のモードを有し、オンスクリーン表示の有無に応じて前記第１のモードと前記第３のモードを切換えることを特徴とするプラズマディスプレイパネルの駆動方法。
【請求項３】
走査電極および維持電極とデータ電極との交差部に放電セルを形成してなるプラズマディスプレイパネルの駆動方法であって、
１フィールド期間を複数のサブフィールドで構成し、前記複数のサブフィールドのうち、画像表示を行うすべての放電セルに対して初期化放電を発生させる全セル初期化動作を行うサブフィールドの数を画像信号のＡＰＬに基づいて切換える制御を行う第１のモードと、全セル初期化動作を行うサブフィールドの数を固定した制御を行う第２のモードと、オンスクリーン表示する直前のフィールドの画像信号のＡＰＬとオンスクリーン表示した最初のフィールドの画像信号のＡＰＬとの差をオンスクリーン表示中の画像信号のＡＰＬから差し引いた値に基づいて、全セル初期化動作を行うサブフィールドの数を切換える制御を行う第３のモードを有し、
オンスクリーン表示しない期間では、前記第１のモードの制御を行い、
画面の中央部にオンスクリーン表示する期間では、前記第２のモードの制御を行い、
画面の周辺部にオンスクリーン表示する期間では、前記第３のモードの制御を行うことを特徴とするプラズマディスプレイパネルの駆動方法。
【発明の詳細な説明】
【技術分野】
【０００１】
本発明は、プラズマディスプレイパネルの駆動方法に関する。
【背景技術】
【０００２】
プラズマディスプレイパネル（以下、「パネル」と略記する）として代表的な交流面放電型パネルは、対向配置された前面板と背面板との間に多数の放電セルが形成されている。前面板は、１対の走査電極と維持電極とからなる表示電極が前面ガラス基板上に互いに平行に複数対形成され、それら表示電極を覆うように誘電体層および保護層が形成されている。背面板は、背面ガラス基板上に複数の平行なデータ電極と、それらを覆うように誘電体層と、さらにその上にデータ電極と平行に複数の隔壁とがそれぞれ形成され、誘電体層の表面と隔壁の側面とに蛍光体層が形成されている。そして、表示電極とデータ電極とが立体交差するように前面板と背面板とが対向配置されて密封され、内部の放電空間には放電ガスが封入されている。ここで表示電極とデータ電極とが対向する部分に放電セルが形成される。このような構成のパネルにおいて、各放電セル内でガス放電により紫外線を発生させ、この紫外線でＲＧＢ各色の蛍光体を励起発光させてカラー表示を行っている。
【０００３】
パネルを駆動する方法としては、サブフィールド法、すなわち１フィールド期間を複数のサブフィールドに分割した上で、発光させるサブフィールドの組み合わせによって階調表示を行う方法が一般的である。また、サブフィールド法の中でも、階調表示に関係しない発光を極力減らして黒を表示する領域の輝度（以下、「黒輝度」と略記する）を下げ、コントラスト比を向上した新規な駆動方法が特許文献１に開示されている。
【０００４】
図８は、特許文献１に記載された従来のパネルの駆動電圧波形図である。以下、この駆動電圧波形について説明する。１フィールド期間は、初期化期間、書込み期間および維持期間を有する８個のサブフィールドで構成されているものとし、それぞれ第１ＳＦ、第２ＳＦ、・・・、第８ＳＦと略記する。以下に説明するように、これら８個のサブフィールドのうち、第１ＳＦを除くサブフィールドでは、前のサブフィールドの維持期間中に点灯した放電セルでのみ初期化動作を行うようにしている。
【０００５】
第１ＳＦの初期化期間の前半部では、走査電極に緩やかに上昇するランプ電圧を印加することにより微弱放電を起こし、書込み動作に必要な壁電荷を各電極上に形成する。このとき後で壁電荷の最適化を図ることを見越して過剰に壁電荷を形成しておく。そして、つづく初期化期間の後半部では、走査電極に緩やかに下降するランプ電圧を印加することにより再び微弱放電を起こし、各電極上に過剰に蓄えられた壁電荷を弱め、各々の放電セルに対して適切な壁電荷に調整する。
【０００６】
第１ＳＦの書込み期間では、表示を行うべき放電セルにおいて書込み放電を起こす。そして、第１ＳＦの維持期間では、走査電極および維持電極に維持パルスを印加し、書込み放電を起こした放電セルにおいて維持放電を起こし、対応する放電セルの蛍光体層を発光させることにより画像表示を行う。
【０００７】
つづく第２ＳＦの初期化期間では、第１ＳＦの初期化期間の後半部と同様の駆動波形、すなわち走査電極に緩やかに下降するランプ電圧を印加する。これは、書込み動作に必要な壁電荷形成を維持放電と同時に行うために、初期化期間の前半部を独立に設ける必要がないためである。したがって、第１ＳＦにおいて維持放電を行った放電セルは微弱放電を起こし、各電極上に過剰に蓄えられた壁電荷を弱め、各々の放電セルに対して適切な壁電荷に調整する。また、維持放電を行わなかった放電セルは第１ＳＦの初期化期間終了時における壁電荷が保たれており、放電することはない。
【０００８】
このように、第１ＳＦの初期化動作はすべての放電セルを放電させる全セル初期化動作であり、第２ＳＦ以降の初期化動作は維持放電を行った放電セルのみ初期化する選択初期化動作である。したがって、表示に関係のない発光は第１ＳＦの初期化期間の微弱放電のみとなり黒輝度を下げたコントラストの高い画像表示が可能となる。
【特許文献１】特開２０００−２４２２２４号公報
【発明の開示】
【発明が解決しようとする課題】
【０００９】
近年はパネルの高精細度化にともない放電セル数が増加し、１つの放電セルに対する書込み動作に使える時間が短くなりつつある。また、動画擬似輪郭の改善等、画像表示品質を向上させるためにサブフィールド数を増加させる駆動方法が検討される等、今後ますます書込み動作の高速化が要求されてきている。
【００１０】
ところで、すべての放電セルを初期化させる全セル初期化動作は上述したように書込み動作に必要な壁電荷を形成する働きをもつが、加えて、放電遅れを小さくし書込み放電を安定して発生させるためのプライミング（放電のための起爆剤＝励起粒子）を発生させるという働きをもあわせもつ。したがって、安定した高速書込み動作のためにはプライミングを増やすという方法が有効である。しかし、単純に全セル初期化動作の回数を増やすと高速書込みは可能となるが、黒輝度が上がってコントラストが低下し画像表示品質が低下する。
【００１１】
本発明はこれらの課題に鑑みなされたものであり、安定した高速書込みが可能であり、かつ、黒輝度の上昇を抑え画像表示品質のよいプラズマディスプレイパネルの駆動方法を提供することを目的とする。
【課題を解決するための手段】
【００１２】
本発明のプラズマディスプレイパネルの駆動方法は、走査電極および維持電極とデータ電極との交差部に放電セルを形成してなるプラズマディスプレイパネルの駆動方法であって、１フィールド期間を複数のサブフィールドで構成し、複数のサブフィールドのうち画像表示を行うすべての放電セルに対して初期化放電を発生させる全セル初期化動作を行うサブフィールドの数を画像信号のＡＰＬに基づいて切換える制御を行う第１のモードと、全セル初期化動作を行うサブフィールドの数を固定した制御を行う第２のモードとを有し、オンスクリーン表示の有無に応じて第１のモードと第２のモードを切換えることを特徴とする。この方法により、安定した高速書込みが可能であり、かつ黒輝度の上昇を抑え画像表示品質のよいプラズマディスプレイパネルの駆動方法を提供することができる。
【００１３】
また、本発明のプラズマディスプレイパネルの駆動方法は、走査電極および維持電極とデータ電極との交差部に放電セルを形成してなるプラズマディスプレイパネルの駆動方法であって、１フィールド期間を複数のサブフィールドで構成し、複数のサブフィールドのうち画像表示を行うすべての放電セルに対して初期化放電を発生させる全セル初期化動作を行うサブフィールドの数を画像信号のＡＰＬに基づいて切換える制御を行う第１のモードと、オンスクリーン表示する直前のフィールドの画像信号のＡＰＬとオンスクリーン表示した最初のフィールドの画像信号のＡＰＬとの差をオンスクリーン表示中の画像信号のＡＰＬから差し引いた値に基づいて全セル初期化動作を行うサブフィールドの数を切換える制御を行う第３のモードを有し、オンスクリーン表示の有無に応じて第１のモードと第３のモードを切換えることを特徴とする。この方法によっても、安定した高速書込みが可能であり、かつ黒輝度の上昇を抑え画像表示品質のよいプラズマディスプレイパネルの駆動方法を提供することができる。
【００１４】
また、本発明のプラズマディスプレイパネルの駆動方法は、走査電極および維持電極とデータ電極との交差部に放電セルを形成してなるプラズマディスプレイパネルの駆動方法であって、１フィールド期間を複数のサブフィールドで構成し、複数のサブフィールドのうち画像表示を行うすべての放電セルに対して初期化放電を発生させる全セル初期化動作を行うサブフィールドの数を画像信号のＡＰＬに基づいて切換える制御を行う第１のモードと、全セル初期化動作を行うサブフィールドの数を固定した制御を行う第２のモードと、オンスクリーン表示する直前のフィールドの画像信号のＡＰＬとオンスクリーン表示した最初のフィールドの画像信号のＡＰＬとの差をオンスクリーン表示中の画像信号のＡＰＬから差し引いた値に基づいて、全セル初期化動作を行うサブフィールドの数を切換える制御を行う第３のモードを有し、オンスクリーン表示しない期間では第１のモードの制御を行い、画面の中央部にオンスクリーン表示する期間では第２のモードの制御を行い、画面の周辺部にオンスクリーン表示する期間では第３のモードの制御を行うことを特徴とする。この方法により、画面の中央部または画面の周辺部にオンスクリーン表示する場合であっても、安定した高速書込みが可能であり、かつ黒輝度の上昇を抑え画像表示品質のよいプラズマディスプレイパネルの駆動方法を提供することができる。
【発明の効果】
【００１５】
本発明によれば、安定した高速書込みが可能であり、かつ黒輝度の上昇を抑え画像表示品質のよいプラズマディスプレイパネルの駆動方法を提供することができる。
【発明を実施するための最良の形態】
【００１６】
以下、本発明の一実施の形態におけるパネルの駆動方法について、図面を用いて説明する。
【００１７】
（実施の形態）
図１は本発明の実施の形態に用いるパネルの要部を示す斜視図である。パネル１は、ガラス製の前面基板２と背面基板３とを対向配置して、その間に放電空間を形成するように構成されている。前面基板２上には表示電極を構成する走査電極４と維持電極５とが互いに平行に対をなして複数形成されている。そして、走査電極４および維持電極５を覆うように誘電体層６が形成され、誘電体層６上には保護層７が形成されている。また、背面基板３上には絶縁体層８で覆われた複数のデータ電極９が付設され、データ電極９の間の絶縁体層８上にデータ電極９と平行して隔壁１０が設けられている。また、絶縁体層８の表面および隔壁１０の側面に蛍光体層１１が設けられている。そして、走査電極４および維持電極５とデータ電極９とが交差する方向に前面基板２と背面基板３とを対向配置しており、その間に形成される放電空間には、放電ガスとして、たとえばネオンとキセノンの混合ガスが封入されている。
【００１８】
図２は本発明の実施の形態におけるパネルの電極配列図である。行方向にｎ本の走査電極ＳＣＮ１〜ＳＣＮｎ（図１の走査電極４）およびｎ本の維持電極ＳＵＳ１〜ＳＵＳｎ（図１の維持電極５）が交互に配列され、列方向にｍ本のデータ電極Ｄ１〜Ｄｍ（図１のデータ電極９）が配列されている。そして、１対の走査電極ＳＣＮｉおよび維持電極ＳＵＳｉ（ｉ＝１〜ｎ）と１つのデータ電極Ｄｊ（ｊ＝１〜ｍ）とが交差した部分に放電セルが形成され、放電セルは放電空間内にｍ×ｎ個形成されている。
【００１９】
図３は本発明の実施の形態におけるパネルの駆動方法を用いるプラズマディスプレイ装置の回路ブロック図である。なお、本発明の実施の形態のパネルの駆動方法は、表示すべき画像の明るさに応じて全セル初期化動作の回数を制御し、暗い画像に対しては全セル初期化動作の回数を減らしてコントラストを向上させ、明るい画像に対しては全セル初期化動作の回数を増やしてプライミングを増やし、放電を安定化するものである。そこで図３には画像の明るさに影響を与えるオンスクリーンに関する回路ブロックについても示している。図３に示すようにプラズマディスプレイ装置５０は、画像合成部５２、ＡＤ（アナログ・デジタル）変換器５４、サブフィールド変換部５６、データ電極駆動部５８、オンスクリーン制御マイコン６０、オンスクリーン用メモリ６２、ＡＰＬ（アベレージ・ピクチャ・レベル）検出部６４、初期化回数演算部８０、タイミング発生部６６、走査電極駆動部６８、維持電極駆動部７０、パネル１および電源回路（図示せず）を備えている。
【００２０】
画像合成部５２は、画像入力信号とオンスクリーン用メモリ６２から出力されるオンスクリーン信号とを合成する。ＡＤ変換器５４は、合成された画像信号をＡＤ変換しＡＰＬ検出部６４およびサブフィールド変換部５６に出力する。サブフィールド変換部５６は、デジタル化された画像信号を複数のサブフィールドに対応する複数のビットに分割し、サブフィールド毎の画像データとしてデータ電極駆動部５８に出力する。データ電極駆動部５８は、サブフィールド毎の画像データを各データ電極Ｄ１〜Ｄｍに対応する信号に変換し各データ電極Ｄ１〜Ｄｍを駆動する。
【００２１】
オンスクリーン制御マイコン６０は、オンスクリーン指示信号に従ってオンスクリーン用メモリ６２からオンスクリーン信号を取り出し画像合成部５２に供給する。そして表示するオンスクリーンの種類とその表示タイミングとを示す信号（以下、「ＯＳ信号」と略記する）を初期化回数演算部８０に出力する。実施の形態においてはＯＳ信号として、画面の中央部にオンスクリーンを表示していることを示す信号ＯＳ１と、画面の周辺部にオンスクリーンを表示していることを示す信号ＯＳ２とがあるとして説明する。ＡＰＬ検出部６４は、画像信号の平均輝度レベル、すなわちＡＰＬを検出し初期化回数演算部８０に出力する。初期化回数演算部８０は、オンスクリーン制御マイコン６０から出力されるＯＳ信号とＡＰＬ検出部６４から出力されるＡＰＬに基づいて１フィールド内の全セル初期化動作の回数を決めタイミング発生部６６に出力する。
【００２２】
タイミング発生部６６は、水平同期信号Ｈ、垂直同期信号Ｖおよび初期化回数演算部８０で決められた全セル初期化動作の回数を示す信号をもとにして各種のタイミング信号を発生し、走査電極駆動部６８、維持電極駆動部７０等、各回路ブロックに必要なタイミング信号を出力する。走査電極駆動部６８および維持電極駆動部７０は、それぞれのタイミング信号に基づいて走査電極ＳＣＮ１〜ＳＣＮｎおよび維持電極ＳＵＳ１〜ＳＵＳｎに駆動電圧を供給する。
【００２３】
つぎに、パネルを駆動するための駆動電圧波形とその動作について説明する。最初に、全セル初期化動作を行う初期化期間を有するサブフィールド（以下、「全セル初期化サブフィールド」と略記する）と選択初期化動作を行う初期化期間を有するサブフィールド（以下、「選択初期化サブフィールド」と略記する）について説明する。図４は本発明の実施の形態におけるパネルの各電極に印加する駆動電圧波形図であり、図４（ａ）は全セル初期化サブフィールド、図４（ｂ）は選択初期化サブフィールドの駆動電圧波形図である。
【００２４】
全セル初期化サブフィールドの初期化期間では、データ電極Ｄ１〜Ｄｍおよび維持電極ＳＵＳ１〜ＳＵＳｎを０（Ｖ）に保持し、走査電極ＳＣＮ１〜ＳＣＮｎに対して放電開始電圧以下となる電圧Ｖｐ（Ｖ）から放電開始電圧を超える電圧Ｖｒ（Ｖ）に向かって緩やかに上昇するランプ電圧を印加する。その後、維持電極ＳＵＳ１〜ＳＵＳｎを正の電圧Ｖｈ（Ｖ）に保ち、走査電極ＳＣＮ１〜ＳＣＮｎに電圧Ｖｇ（Ｖ）から電圧Ｖａ（Ｖ）に向かって緩やかに下降するランプ電圧を印加する。すると、すべての放電セルにおいて２回の微弱な初期化放電を起こし、走査電極ＳＣＮ１〜ＳＣＮｎ上の壁電圧および維持電極ＳＵＳ１〜ＳＵＳｎ上の壁電圧が弱められ、データ電極Ｄ１〜Ｄｍ上の壁電圧も書込み動作に適した値に調整される。ここで、電極上の壁電圧とは電極を覆う誘電体層あるいは蛍光体層上に蓄積した壁電荷により生じる電圧をあらわす。そして上述した２回の微弱な初期化放電にともなってすべての放電セル内部にプライミングを発生させる。
【００２５】
つづく書込み期間では、走査電極ＳＣＮ１〜ＳＣＮｎを一旦Ｖｓ（Ｖ）に保持する。つぎに、データ電極Ｄ１〜Ｄｍのうち１行目に表示すべき放電セルのデータ電極Ｄｋ（ｋ＝１〜ｍ）に正の書込みパルス電圧Ｖｗ（Ｖ）を印加するとともに、１行目の走査電極ＳＣＮ１に走査パルス電圧Ｖｂ（Ｖ）を印加する。すると、書込みパルス電圧Ｖｗ（Ｖ）を印加したデータ電極Ｄｋと走査電極ＳＣＮ１との間で放電が発生し、維持電極ＳＵＳ１と走査電極ＳＣＮ１との間の放電に進展する。このようにして、１行目に表示すべき放電セルで選択的に書込み放電を起こして各電極上に壁電圧を蓄積する書込み動作が行われる。以上の書込み動作をｎ行目の放電セルに至るまで順次行う。
【００２６】
つづく維持期間では、維持電極ＳＵＳ１〜ＳＵＳｎと走査電極ＳＣＮ１〜ＳＣＮｎとに交互に正の維持パルス電圧Ｖｍ（Ｖ）を印加する。すると書込み放電を起こした放電セルにおいては、走査電極ＳＣＮｉと維持電極ＳＵＳｉとの間の電圧は維持パルス電圧Ｖｍ（Ｖ）に書込み動作で蓄積された壁電圧が加算され放電開始電圧を超え維持放電が発生する。書込み期間において書込み放電が起きなかった放電セルでは維持放電は発生しない。
【００２７】
選択初期化サブフィールドの初期化期間では、維持電極ＳＵＳ１〜ＳＵＳｎをＶｈ（Ｖ）に保持し、データ電極Ｄ１〜Ｄｍを０（Ｖ）に保持し、走査電極ＳＣＮ１〜ＳＣＮｎにＶｑ（Ｖ）からＶａ（Ｖ）に向かって緩やかに下降するランプ電圧を印加する。すると前のサブフィールドの維持期間で維持放電を行った放電セルで選択的に微弱な初期化放電が発生し、走査電極ＳＣＮｉ上および維持電極ＳＵＳｉ上の壁電圧が弱められ、データ電極Ｄｋ上の壁電圧も書込み動作に適した値に調整される。一方、前のサブフィールドで書込み放電および維持放電を行わなかった放電セルについては放電することはない。このように、選択初期化サブフィールドの初期化動作では前のサブフィールドで維持放電を行わなかった放電セルにおいてはプライミングは発生しない。
【００２８】
書込み期間および維持期間については、全セル初期化サブフィールドの書込み期間および維持期間と同様であるため説明を省略する。
【００２９】
つぎに、本発明の実施の形態におけるパネルの駆動方法のサブフィールド構成について説明する。実施の形態においては、１フィールドを１０のサブフィールド（第１ＳＦ、第２ＳＦ、・・・、第１０ＳＦ）に分割し、各サブフィールドはそれぞれ（１、２、３、６、１１、１８、３０、４４、６０、８０）の輝度重みをもつものとして説明するが、サブフィールド数や各サブフィールドの輝度重みが上記の値に限定されるものではない。
【００３０】
図５は、本発明の実施の形態におけるパネルの駆動方法のサブフィールド構成を示す図であり、表示すべき画像信号のＡＰＬに基づいてサブフィールド構成を切換えている。図５（ａ）は、第１ＳＦの初期化期間のみ全セル初期化動作を行い、第２ＳＦ〜第１０ＳＦの初期化期間は選択初期化動作を行うサブフィールド構成であり、１フィールド内の全セル初期化動作の回数は１回である。図５（ｂ）は、第１ＳＦおよび第４ＳＦは全セル初期化サブフィールド、第２ＳＦ、第３ＳＦと第５ＳＦ〜第１０ＳＦは選択初期化サブフィールドであり、全セル初期化動作の回数は２回である。図５（ｃ）は、第１ＳＦ、第４ＳＦ、第６ＳＦは全セル初期化サブフィールド、第２ＳＦ、第３ＳＦ、第５ＳＦ、第７ＳＦ〜第１０ＳＦは選択初期化サブフィールドであり、全セル初期化動作の回数は３回である。
【００３１】
まず、オンスクリーンを表示しない場合について説明する。初期化回数演算部８０は、ＡＰＬ検出部６４から順次送られてくるＡＰＬの値Ａ（ｔ）に基づいて１フィールド内の全セル初期化動作の回数を表１に示したように設定する。すなわち、全セル初期化動作の回数は、ＡＰＬが７％未満の場合には１回、ＡＰＬが７％以上１５％未満の場合には２回、ＡＰＬが１５％以上の場合には３回である。
【００３２】
【表１】
2006084623.tif 000003
【００３３】
このように本発明の実施の形態におけるパネルの駆動方法は、オンスクリーンを表示しない期間では、ＡＰＬが下がると全セル初期化動作の回数が少なくなるようにサブフィールド構成を制御する第１のモードの制御を行う。これは、ＡＰＬの高い画像表示時においては黒表示領域が無いかわずかの面積であると考えられるので、全セル初期化動作の回数を増やしプライミングを増やすことによって放電の安定化を図っている。逆に、ＡＰＬの低い画像表示時においては黒の画像表示領域が広いと考えられるため全セル初期化動作の回数を減らし、黒表示品質を向上している。したがって、輝度の高い領域があってもＡＰＬが低ければ黒輝度が低くコントラストの高い画像表示が可能となる。
【００３４】
つぎに、オンスクリーンを表示する場合について説明する。本発明の実施の形態においてはオンスクリーンの表示内容により、２種類の異なったサブフィールド構成の制御を行っている。まず最初に、オンスクリーンの表示内容が、メニュー表示や画質調整、あるいは表示装置の初期設定等（以下、「第１種のオンスクリーン表示」と略記する）である場合について説明する。第１種のオンスクリーン表示は通常、画面中央部に大きく表示されることが多い。そして、視聴者はオンスクリーン表示された内容を注視しながらいろいろな操作を行うことになる。図６（ａ）は第１種のオンスクリーン表示の一例を示す図である。このときも背景画像の変化やオンスクリーンの表示内容の変化にともなって画像信号のＡＰＬは一般に変化する。しかしこの場合は視聴者はオンスクリーン表示を注視しているため、ＡＰＬの変化に応じて黒輝度が変化すると非常に目障りに感じることになる。
【００３５】
そこで本発明の実施の形態においては、第１種のオンスクリーン表示中を示す信号ＯＳ１が、時刻ｔ１においてオンスクリーン制御マイコン６０から初期化回数演算部８０に出力された場合、初期化回数演算部８０は、時刻ｔ１におけるＡＰＬの値Ａ（ｔ１）に基づき表１に従って全セル初期化動作の回数を設定し、オンスクリーン表示が終了するまでこの回数を固定する。このように画面の中央部に表示する第１種のオンスクリーン表示中は全セル初期化動作の回数を固定する第２のモードの制御を行うので、視聴者はオンスクリーンに表示された内容に集中することができる。
【００３６】
なお、第１種のオンスクリーン表示が始まってから終了するまでの期間に全セル初期化動作の回数を固定する方法としては、上述したように単にこの間の全セル初期化動作の回数の切換えを中止してもよい。また、第１種のオンスクリーン表示中の全セル初期化動作の回数をあらかじめ決めておいてもよい。
【００３７】
つぎに、オンスクリーンの表示内容が、チャンネルや入力切換え表示、あるいは音量表示等（以下、「第２種のオンスクリーン表示」と略記する）である場合について説明する。第２種のオンスクリーン表示は通常、画面の周辺部等、表示画像の邪魔にならない位置に小さく表示されることが多い。そして、視聴者は通常は表示画像に注視しており、オンスクリーン表示された内容については一瞥する程度である。図６（ｂ）は第２種のオンスクリーン表示の一例を示す図である。このとき第２種のオンスクリーン表示にともない合成画像のＡＰＬも変化するが、表示画像に注視している視聴者にとっては、表示画像と直接関係のないオンスクリーン表示にともなうＡＰＬの変化により黒表示領域の輝度が変化すると非常に見苦しく感じることになる。
【００３８】
そこで本発明の実施の形態においては、初期化回数演算部８０は以下の動作を行う。第２種のオンスクリーン表示中を示す信号ＯＳ２が、時刻ｔ２においてオンスクリーン制御マイコン６０から初期化回数演算部８０に出力された場合、初期化回数演算部８０は、信号ＯＳ２を入力する直前のフィールド、すなわちオンスクリーン表示する直前のフィールドのＡＰＬの値Ａ（ｔ２−Δｔ）と信号ＯＳ２を入力した直後のフィールド、すなわちオンスクリーン表示した最初のフィールドのＡＰＬの値Ａ（ｔ２）との差分ΔＡ（ｔ２）＝｛Ａ（ｔ２）−Ａ（ｔ２−Δｔ）｝を求める。そして、オンスクリーン表示中のＡＰＬの値Ａ（ｔ）と差分ΔＡ（ｔ２）との差｛Ａ（ｔ）−ΔＡ（ｔ２）｝を求め、これを第２種のオンスクリーン表示を行わなかった場合のＡＰＬの予想値Ａ’（ｔ）と仮定する。そして、第２種のオンスクリーン表示期間中はＡＰＬの予想値Ａ’（ｔ）に基づき、表１に従って全セル初期化動作の回数を設定する。
【００３９】
このように画面の周辺部に表示する第２種のオンスクリーン表示を開始しても、第２種のオンスクリーン表示を行わなかった場合のＡＰＬの値を予想して、その値に基づいて全セル初期化動作の回数を制御する第３のモードの制御を行うため、表示画像に注視している視聴者に対して自然な全セル初期化動作の回数の制御が可能となる。なお、上述の方法は、第２種のオンスクリーン表示期間中、第２種のオンスクリーン表示を行わなかった場合のＡＰＬの予想値Ａ’（ｔ）が｛Ａ（ｔ）−ΔＡ（ｔ２）｝に等しいと仮定しているが、実際には表示画像のＡＰＬは変化するのでこの仮定は厳密には成立しない。しかし、第２種のオンスクリーン表示の表示領域は小さいので実質的に問題はない。
【００４０】
図７は、本発明の実施の形態における初期化回数演算部８０の回路ブロック図である。ホールド回路８１は、たとえば時刻ｔ１に第１種のオンスクリーン表示を示す信号ＯＳ１が入力されると、そのときのＡＰＬの値Ａ（ｔ１）を保持する。第１種のオンスクリーン表示の期間中はこの値Ａ（ｔ１）に基づいて全セル初期化動作の回数が設定される。遅延回路８２は、入力したＡＰＬの値Ａ（ｔ）を遅延し１フィールド前のＡＰＬの値Ａ（ｔ−Δｔ）を出力する。減算回路８３は、入力したＡＰＬの値Ａ（ｔ）と１フィールド前のＡＰＬの値Ａ（ｔ−Δｔ）との差分値ΔＡ（ｔ）を出力する。ホールド回路８４は、たとえば時刻ｔ２に第２種のオンスクリーン表示を示す信号ＯＳ２が入力されると、そのときの差分値ΔＡ（ｔ２）を保持する。減算回路８５は、入力したＡＰＬの値Ａ（ｔ）と差分値ΔＡ（ｔ２）との差｛Ａ（ｔ）−ΔＡ（ｔ２）｝を求め、これを第２種のオンスクリーン表示を行わなかった場合のＡＰＬの予想値Ａ’（ｔ）として出力する。第２種のオンスクリーン表示の期間中はこの予想値Ａ’（ｔ）に基づいて全セル初期化動作の回数が決定される。選択回路８６は、オンスクリーンが表示されない期間には入力したＡＰＬの値Ａ（ｔ）を出力し、第１種のオンスクリーン表示の期間中は時刻ｔ１におけるＡＰＬの値Ａ（ｔ１）を出力し、第２種のオンスクリーン表示の期間中は予想値Ａ’（ｔ）を出力する。ただし、第１種のオンスクリーンと第２種のオンスクリーンとが同時に表示された場合には時刻ｔ１におけるＡＰＬの値Ａ（ｔ１）を出力する。そして初期化回数変換テーブル８７は選択回路８６の出力に応じて表１に従い全セル初期化動作の回数を設定し、タイミング発生部６６に出力する。
【００４１】
以上の構成を有する初期化回数演算部８０を備えることにより、上述した全セル初期化動作の回数の制御を行うことができる。しかし、もちろんマイクロコンピュータとプログラムを用いて上記の動作を実現することも可能である。
【００４２】
なお、本発明の実施の形態においては、表１に示したように、ＡＰＬの値に対して一意に全セル初期化動作の回数が決まるものとして説明した。しかし、全セル初期化動作の回数の切換わるＡＰＬの値をはさんでＡＰＬが頻繁に変動すると全セル初期化動作回数も頻繁に変動し、本来一定であるべき黒輝度が頻繁に変動することとなり画像表示品質を低下させてしまう。このような画像信号としては決して特殊なものではなく、たとえば、暗いステージ上でスポットライトを浴びた歌手の画像や黒い画面上で白い文字がスクロールする画像等、比較的表示頻度の高い画像である。そこで、全セル初期化動作の回数を切換える際にヒステリシス特性をもたせることにより、上述のような画像であっても黒輝度が頻繁に変動することを防ぐことができる。
【００４３】
【表２】
2006084623.tif 000004
【００４４】
表２は、ＡＰＬに基づいて全セル初期化動作の回数を切換えるときにヒステリシス特性をもたせた例である。具体的には、ＡＰＬが増加する場合には、ＡＰＬが９％以上になったときに全セル初期化動作回数を１回から２回に増やし、ＡＰＬが１７％以上になったときに全セル初期化動作回数を２回から３回に増やす。逆に、ＡＰＬが減少する場合には、ＡＰＬが１３％未満になったときに全セル初期化動作の回数を３回から２回に減じ、ＡＰＬが５％未満になったときに全セル初期化動作回数を２回から１回に減ずる。初期化回数変換テーブル８７にこのような動作をさせることにより黒輝度が頻繁に変動することを防ぐことができる。
【産業上の利用可能性】
【００４５】
本発明のパネルの駆動方法は、オンスクリーン表示においても、安定した高速書込みが可能であり、かつ黒輝度の上昇を抑え画像表示品質のよいパネルの駆動が可能となり、パネルを用いた画像表示装置等として有用である。
【図面の簡単な説明】
【００４６】
【図１】本発明の実施の形態に用いるパネルの要部を示す斜視図
【図２】同パネルの電極配列図
【図３】同パネルの駆動方法を用いるプラズマディスプレイ装置の回路ブロック図
【図４】同パネルの各電極に印加する駆動電圧波形図
【図５】同パネルの駆動方法のサブフィールド構成を示す図
【図６】（ａ）は第１種のオンスクリーン表示の一例を示す図（ｂ）は第２種のオンスクリーン表示の一例を示す図
【図７】本発明の実施の形態における初期化回数演算部の回路ブロック図
【図８】従来のパネルの駆動電圧波形図
【符号の説明】
【００４７】
１    パネル
４    走査電極
５    維持電極
９    データ電極
５０    プラズマディスプレイ装置
５２    画像合成部
５４    ＡＤ変換器
５６    サブフィールド変換部
５８    データ電極駆動部
６０    オンスクリーン制御マイコン
６２    オンスクリーン用メモリ
６４    ＡＰＬ検出部
６６    タイミング発生部
６８    走査電極駆動部
７０    維持電極駆動部
８０    初期化回数演算部
８１，８４    ホールド回路
８２    遅延回路
８３，８５    減算回路
８６    選択回路
８７    初期化回数変換テーブル
【図１】
2006084623.tif 000005
【図２】
2006084623.tif 000006
【図３】
2006084623.tif 000007
【図４】
2006084623.tif 000008
【図５】
2006084623.tif 000009
【図６】
2006084623.tif 000010
【図７】
2006084623.tif 000011
【図８】
2006084623.tif 000012